(57)【要約】【課題】  半田やロウによってわん曲部のわん曲操作に支障を生じたり、先端硬性部内に収容されたものに干渉して傷つけたりすることをなくす。【解決手段】  内視鏡の先端硬性部１に連結される第１リング３Ａを含む複数のアングルリング３によってアングル部２を構成し、手元操作部から遠隔操作してアングル部２をわん曲させる少なくとも２本の操作ワイヤ５を第１リング３Ａに連結する操作ワイヤ５の連結構造において、第１リング３Ａに操作ワイヤ５の数だけリングの外側及び周方向両側に開口して第１リング３Ａのリング中心方向にわん曲されたアーチ部６を形成し、このアーチ部６の手元操作部側に操作ワイヤ５の挿入口を形成し、この挿入口から操作ワイヤ５の先端をアーチ部６内へ挿入し、アーチ部６と操作ワイヤ５先端とを半田付け又はロウ付けして操作ワイヤ５の先端を第１リング３Ａに連結した。【選択図】  図１
2006271844.tif 000002
【特許請求の範囲】
【請求項１】
内視鏡の先端硬性部に連結される第１リングを含む複数のアングルリングによってアングル部を構成し、手元操作部から遠隔操作して前記アングル部をわん曲させる少なくとも２本の操作ワイヤを前記第１リングに連結する操作ワイヤの連結構造において、
前記第１リングに操作ワイヤの数だけリングの外側及び周方向両側に開口して前記第１リングのリング中心方向にわん曲されたアーチ部を形成し、
このアーチ部の手元操作部側に操作ワイヤの挿入口を形成し、
この挿入口から操作ワイヤの先端をアーチ部内へ挿入し、
前記アーチ部と操作ワイヤ先端とを半田付け又はロウ付けして操作ワイヤの先端を前記第１リングに連結したことを特徴とする内視鏡の操作ワイヤの連結構造。
【請求項２】
前記アーチ部を、第１リングの軸線方向に沿った平行一対の切り込みを形成し、これら切り込みで挟まれた部分を内側へプレスして、いわゆる切り絞って形成したことを特徴とする請求項１に記載の内視鏡の操作ワイヤの連結構造。
【請求項３】
前記操作ワイヤの先端に操作ワイヤの径よりも大きな抜け止め膨出部を形成し、この膨出部を含む先端をアーチ部と半田付け又はロウ付けしたことを特徴とする請求項１又は２に記載の内視鏡の操作ワイヤの連結構造。
【請求項４】
前記半田付け又はロウ付けは、アーチ部の外側を向いた開口から施されることを特徴とする請求項１ないし３のいずれか１項に記載の内視鏡の操作ワイヤの連結構造。
【発明の詳細な説明】
【技術分野】
【０００１】
本発明は、内視鏡の先端硬性部に連結される第１リングを含む複数のアングルリングによってアングル部を構成し、手元操作部から遠隔操作してアングル部をわん曲させる操作ワイヤを第１リングに連結する構造に関する。
【背景技術】
【０００２】
従来の操作ワイヤ先端をアングルリングの第１リングに連結する構造としては、第１リングの径方向に沿って２本の平行な切り込みを形成し、これら切り込みで挟まれた部分を内側へプレスして、リング外側とリングの軸方向両側に開口を有するアーチ部（切り絞り部）を形成し、このアーチ部に操作ワイヤ先端を挿入し、アーチ部とこの先端とを半田付けしていた（特許文献１参照）。
【０００３】
さらに詳しく述べると、図５及び図６に示すように、ライトガイド（ＬＧ）とかイメージガイド（ＩＧ）などが収容される先端硬性部１の基端側をアングルリング１００の最先端に位置する、すなわち第１リング１００Ａで構成し、アングルリング１００にはネット１０１を被せてアングル部２を形成している。前記アングルリング１００の各リングには操作ワイヤ１０２を通すためのアーチ部１０３を形成してある。第１リング１００Ａのアーチ部１０３Ａも他のアーチ部１０３と同様に、リング外側とリング軸方向両側、すなわち軸方向に直交する面に開口を有するものである。アーチ部１０３Ａ内に挿入された操作ワイヤ１０２の先端は折曲部１０２Ａとされ、折曲部１０２Ａがアーチ部１０３Ａの先端側に引っかかり、操作ワイヤ１０２先端とアーチ部１０３Ａとの連結を確実なものとしている。
【特許文献１】特開平９−２９９３２０号公報（第４頁、図２）
【発明の開示】
【発明が解決しようとする課題】
【０００４】
従来のアーチ部１０３Ａと操作ワイヤ１０２先端との連結構造では、半田やロウがアーチ部１０３Ａの軸方向開口（図５における左右の開口）から漏れ出し、仮にアングルリング１００の２番目のリング方向へ流れ込むと、第１リング１００Ａと２番目のリングとの間でわん曲しなくなるという不都合が生じた。また、反対に、半田やロウが先端側に流れ込むと、先端硬性部１にＬＧやＩＧ等の機能部品１０４を収容した後に、半田やロウ２００のはみ出しエッジ２００Ａが、チューブ１０５をわん曲時に傷つけるおそれがあった（図７参照）。このチューブ１０５には光ファイバを収め、チューブ１０５と機能部品１０４（ＬＧとする）とを糸巻き部１０６で連結してある。
【０００５】
図７に示すような半田やロウの状態（はみ出しエッジ２００Ａの存在）が、機能部品１０４を先端硬性部１に収容する前に判明した場合、余分な半田やロウを手作業で削り、機能部品１０４などと干渉しないようにする必要があった。しかし、口径の小さなものでは、削る必要も困難を伴い、かつエッジを残さないように削る作業は熟練を要していた。
【０００６】
そこで、本発明は、わん曲部のわん曲操作に支障を生じたり、先端硬性部内に収容されたものに干渉して傷つけたりすることをなくし、半田付け後の削り作業もなくして作業性を向上させることを目的とする。
【課題を解決するための手段】
【０００７】
上述の目的を達成するため、本発明は、内視鏡の先端硬性部に連結される第１リングを含む複数のアングルリングによってアングル部を構成し、手元操作部から遠隔操作して前記アングル部をわん曲させる少なくとも２本の操作ワイヤを前記第１リングに連結する操作ワイヤの連結構造において、前記第１リングに操作ワイヤの数だけリングの外側及び周方向両側に開口して前記第１リングのリング中心方向にわん曲されたアーチ部を形成し、このアーチ部の手元操作部側に操作ワイヤの挿入口を形成し、この挿入口から操作ワイヤの先端をアーチ部内へ挿入し、前記アーチ部と操作ワイヤ先端とを半田付け又はロウ付けして操作ワイヤの先端を前記第１リングに連結したものである。
【発明の効果】
【０００８】
本発明によれば、内視鏡の先端硬性部に連結される第１リングを含む複数のアングルリングによってアングル部を構成し、手元操作部から遠隔操作して前記アングル部をわん曲させる少なくとも２本の操作ワイヤを前記第１リングに連結する操作ワイヤの連結構造において、前記第１リングに操作ワイヤの数だけリングの外側及び周方向両側に開口して前記第１リングのリング中心方向にわん曲されたアーチ部を形成し、このアーチ部の手元操作部側に操作ワイヤの挿入口を形成し、この挿入口から操作ワイヤの先端をアーチ部内へ挿入し、前記アーチ部と操作ワイヤ先端とを半田付け又はロウ付けして操作ワイヤの先端を前記第１リングに連結したので、半田やロウがアングルリングの第２リング方向へ流れ込んでわん曲操作に支障を生じることもなく、かつ半田やロウが先端側へ流れ込んで先端硬性部に収められたＬＧやＩＧに干渉して傷つけることもなくなる。また、アングルリングの軸方向へ流れ出ることがないので、後処理として半田やロウのエッジの除去作業も不要となり、余分な手数がかからない。
【０００９】
アーチ部を切り絞って形成したものでは、形成作業も容易かつ迅速に行える。また、操作ワイヤの先端に膨出部を形成した場合、操作ワイヤのアーチ部からの抜けが確実に防止される。特に、本発明は、口径の小さな内視鏡に適用して有用である。口径が小さい場合、従来のような半田のエッジを削るという作業は、ほとんど不可能であるから、削り作業をなくした本発明では口径の小さな内視鏡でその効果は大きく、さらにリング外側の開口からの半田やロウ付け作業も容易に行えるものである。
【発明を実施するための最良の形態】
【００１０】
以下に、本発明の実施形態について図面を参照にして説明する。
【００１１】
図１において、内視鏡の先端硬性部１にアングル部２が連結され、アングル部２を構成するアングルリング３の第１リング３Ａは、先端硬性部１の基端側の一部を構成している。アングルリング３の第２リング３Ｂ以下には従来と同様の操作ワイヤ５を挿通するための挿通部４をそれぞれ設けてある。アングルリング３がネット１０で被覆されている点も従来と同様である。前記第１リング３Ａには、操作ワイヤ５の数だけリングの外側及び周方向両側に開口して下方にわん曲されたアーチ部６を形成してある。前記挿通部４がリングの外側及び軸方向両側に開口する形で形成されているのに対し、これらの挿通部４とは９０°位置を変えた形で第１リング３Ａにアーチ部６を形成している。このアーチ部６の第２リング３Ｂ寄りには操作ワイヤ５の挿入口７を形成してある。前記アングルリング３の各リングは枢着ピン８で互いに連結されている。前記先端硬性部１には従来と同様にＩＧやＬＧなどが収納される。
【００１２】
図２は、図１の先端側から見た図であり、アーチ部６が２個所形成してあり、２本の操作ワイヤ５を用いてアングル部２を上下方向にわん曲させることができるようになっている。図３は図１の第１リング３Ａの個所の拡大断面図であり、操作ワイヤ５先端部を挿入口７からアーチ部６の内側に挿入し、アーチ部６と操作ワイヤ５の先端とを半田付け又はロウ付けした状態を示し、半田又はロウを符号９で示す。操作ワイヤ５の先端は、図４に示すようにロウ玉を固着するなどして操作ワイヤ５の径よりも大きな抜け止め用の膨出部１１を形成しておくことが好ましい。このような膨出部１１の形成は、挿入口７から操作ワイヤ５を挿入した後に、アーチ部６の外側の開口側からロウ玉を固着することができる。この膨出部１１を形成した後にアーチ部６と操作ワイヤ５の先端とを半田付け又はロウ付けする。
【図面の簡単な説明】
【００１３】
【図１】本発明の好適な実施形態を示す断面図。
【図２】先端側から見た正面図。
【図３】図１の第１リングと操作ワイヤとの連結構造の詳細断面図。
【図４】操作ワイヤの先端側に膨出部を形成した図。
【図５】従来例を示す断面図。
【図６】図５の先端側正面図。
【図７】従来例の欠点を説明する拡大断面図。
【符号の説明】
【００１４】
１    先端硬性部
２    アングル部
３    アングルリング
３Ａ  第１リング
３Ｂ  第２リング
５    操作ワイヤ
６    アーチ部
７    挿入口
【図１】
2006271844.tif 000003
【図２】
2006271844.tif 000004
【図３】
2006271844.tif 000005
【図４】
2006271844.tif 000006
【図５】
2006271844.tif 000007
【図６】
2006271844.tif 000008
【図７】
2006271844.tif 000009